(57)【要約】      （修正有）【課題】最適な力で抜き差し可能な、防水コンセントコネクターを提供する。【解決手段】絶縁本体１１の頂壁１１１と底壁１１３には、階段状の第一通槽１１６と第二通槽１１７とを設置し、第一金属連接板１６と第二金属連接板１５とは、第一通槽１１６と第二通槽１１７内にそれ設置し、固定部１４は、２個の定位部品１４１と位置固定部品１４２を備え、絶縁本体１１側壁上には、凹槽１１８を設置し、定位部品１４１を凹槽１１８中に挿入する。さらに、定位部品１４１は外へとバッフル１４１２を延伸し、バッフル１４１２と金属ハウジング１２の側板１２２とは、緊密に接触し、金属ハウジング１２は、第一金属連接板１６及び位置固定部品１４２と緊密に結合され、位置固定部品１４２は第二金属連接板１５を載せて支える様構成する。【選択図】図３
0003158590.tif 000002
【実用新案登録請求の範囲】
【請求項１】
絶縁本体、前記絶縁本体を覆う金属ハウジング、前記絶縁本体内に固定して設置する複数の導電端子、前記絶縁本体内に設置し、プラグコネクターを嵌めて固定する固定部を備え、
前記絶縁本体は、頂壁、３個の側壁、底壁により取り囲む収容空間と開口とを備え、前記開口と相対する側壁は、前記収容空間に向かい、垂直に突出し挿入接続部を形成し、
前記固定部は、２個の定位部品と位置固定部品を備え、
前記金属ハウジングは、頂板、底板、２個の側板により取り囲み、貫通した収容設置空間を備え、前記絶縁本体を収容し、
さらに、周縁が階段状を呈する第一金属連接板と第二金属連接板とを備え、前記絶縁本体の頂壁と底壁には、貫通して、しかも前記収容空間に連通する第一通槽と第二通槽とを開設し、前記第一通槽周縁は、階段状を呈し、
前記第一金属連接板と前記第二金属連接板とは、前記第一通槽と前記第二通槽内にそれ設置し、階段状周縁により、密封して対応し、
前記絶縁本体の相対する２個の側壁内には、それぞれ凹槽を設置し、前記各定位部品の中央には、通孔を開設し、前記通孔の辺縁は、外側へと屈折して、バッフルを延伸し、
前記２個の定位部品は、前記側壁の凹槽内にそれぞれ嵌めて設置し、前記バッフルと前記金属ハウジングの側板とは、緊密に接触し、前記金属ハウジングの頂板と前記第一金属連接板とは緊密に結合し、前記位置固定部品は、前記絶縁本体の底壁に固定され、前記第二金属連接板を載せて緊密に支え、
前記金属ハウジングの底板と前記位置固定部品とは、緊密に結合されることを特徴とする防水コンセントコネクター。
【請求項２】
前記金属ハウジングの頂板と前記第一金属連接板とは、一体に溶接されることを特徴とする請求項１に記載の防水コンセントコネクター。
【請求項３】
前記位置固定部品は金属材質で、前記金属ハウジングの底板と前記位置固定部品とは、一体に溶接されることを特徴とする請求項１に記載の防水コンセントコネクター。
【請求項４】
前記位置固定部品の両端は、上方へと屈折した２個の係合板を形成し、前記絶縁本体の第二通槽の両端には、２個の係合槽をそれぞれ設置し、
前記２個の係合板は、前記２個の係合槽をそれぞれ通過して、前記絶縁本体の底壁から収容設置空間へと進出することを特徴とする請求項１に記載の防水コンセントコネクター。
【考案の詳細な説明】
【技術分野】
【０００１】
本考案はコンセントコネクターに関し、特に防水コンセントコネクターに関する。
【背景技術】
【０００２】
コンセントコネクターは通常、絶縁本体、絶縁本体内に固定して設置する複数の導電端子、絶縁本体上を覆う金属ハウジングを備える。現在では、製品の品質と性能に対する顧客側の要求がどんどん高くなっているため、電子製品の防水機能は、重要な指標の一つに徐々に組み入れられるようになっている。電子製品における現行の防水技術の大部分は、断面がおおよそ円形を呈する軟性プラスチック材料により製造する密封リングを、コンセントコネクター上に嵌めて設置するものである。さらに、製品のハウジングにより、密封リングを圧縮してそれを変形させ、こうして、密封リングとコンセントコネクターとを相互に密着させ、密封と防水の目的を達成する。
【０００３】
しかし、密封リングを変形させる形式は非常に不安定で、片側偏移の現象が起き易いため、より高い防水レベルを達成することは難しい。本考案は、従来の防水コンセントコネクターの上記した欠点に鑑みてなされたものである。
【考案の概要】
【考案が解決しようとする課題】
【０００４】
本考案が解決しようとする課題は、コネクター内部へのほこりと水の侵入を防止することができ、プラグコネクターと絶縁本体との間の摩擦を減少させられ、最適な力で抜き差しを行うことができる防水コンセントコネクターを提供することである。
【課題を解決するための手段】
【０００５】
上記課題を解決するため、本考案は下記の防水コンセントコネクターを提供する。
防水コンセントコネクターは、絶縁本体、該絶縁本体を覆う金属ハウジング、該絶縁本体内に固定して設置する複数の導電端子、該絶縁本体内に設置し、プラグコネクターを嵌めて固定する固定部を備え、
該絶縁本体は、頂壁、３個の側壁、底壁により取り囲む収容空間と開口とを備え、該開口と相対する側壁は、該収容空間に向かい、垂直に突出し挿入接続部を形成し、
該固定部は、２個の定位部品と位置固定部品を備え、
該金属ハウジングは、頂板、底板、２個の側板により取り囲み、貫通した収容設置空間を備え、該絶縁本体を収容し、
さらに、周縁が階段状を呈する第一金属連接板と第二金属連接板とを備え、該絶縁本体の頂壁と底壁には、貫通して、しかも該収容空間に連通する第一通槽と第二通槽とを開設し、該第一通槽周縁は、階段状を呈し、
該第一金属連接板と該第二金属連接板とは、該第一通槽と該第二通槽内にそれ設置し、階段状周縁により、密封して対応し、
該絶縁本体の相対する２個の側壁内には、それぞれ凹槽を設置し、該各定位部品の中央には、通孔を開設し、該通孔の辺縁は、外側へと屈折して、バッフルを延伸し、
該２個の定位部品は、該側壁の凹槽内にそれぞれ嵌めて設置し、該バッフルと該金属ハウジングの側板とは、緊密に接触し、該金属ハウジングの頂板と該第一金属連接板とは緊密に結合し、該位置固定部品は、該絶縁本体の底壁に固定され、該第二金属連接板を載せて緊密に支え、
該金属ハウジングの底板と該位置固定部品とは、緊密に結合される。
【考案の効果】
【０００６】
本考案防水コンセントコネクターの絶縁本体上の孔は非常に小さく、しかも絶縁本体の外部には、金属ハウジングを緊密に対応させて嵌めるため、コネクター内部へのほこり、水分の侵入を効果的に防止することができ、また、第一金属連接板と絶縁本体の第一通槽とは、凹凸状の対応を呈するため、間隙を縮小することができ、湿気の侵入を防止可能で、さらに、プラグコネクターと接触する部分は、２個の金属連接板であるため、プラグコネクターと絶縁本体との間の摩擦を減少させることができ、最適な力で、抜き差しを行うことができる。
【図面の簡単な説明】
【０００７】
【図１】本考案防水コンセントコネクターの立体図である。
【図２】図１に示す防水コンセントコネクターの別の角度からの立体図である。
【図３】図１に示す防水コンセントコネクターの立体分解図である。
【図４】図１に示す防水コンセントコネクターの主視図である。
【図５】図４に示す防水コンセントコネクターのZ-Z位置における断面図である。
【考案を実施するための形態】
【０００８】
以下に図面を参照しながら本考案を実施するための最良の形態について詳細に説明する。
【実施例】
【０００９】
図１に示すように、本考案防水コンセントコネクター１は、絶縁本体１１、絶縁本体１１を覆う金属ハウジング１２、絶縁本体１１内に固定して設置する複数の導電端子１３、周縁が階段状を呈する第一金属連接板１６と第二金属連接板１５、絶縁本体１１内に設置し、プラグコネクターを嵌めて固定する固定部１４を備える。
【００１０】
図１〜５に示すように、金属ハウジング１２は、金属板をプレス成型、裁断、湾曲/屈折させて形成する。金属ハウジング１２は、頂板１２１、底板１２３、２個の側板１２２により取り囲み、金属ハウジング１２の横幅方向に貫通した収容設置空間を備える。頂板１２１と底板１２３上には、複数の溶接点１２１１をそれぞれ設置し、絶縁本体１１と緊密に固定する。
【００１１】
絶縁本体１１は、頂壁１１１、３個の側壁１１２、底壁１１３により取り囲む収容空間と開口を備える。絶縁本体１１の、開口に相対する側壁１１２は、収容空間に向かい、垂直に突出し挿入接続部１１４を形成する。挿入接続部１１４上には、複数の端子槽１１４１を開設し、しかも端子槽１１４１は、開口と相対する側壁１１２を貫通する。開口と相対する側壁１１２の外側には、複数のクリップブロック１７を設置し、これにより導電端子１３を固定する。絶縁本体１１の頂壁１１１上には、貫通し、しかも周縁が階段状を呈する第一通槽１１６を開設する。絶縁本体１１の底壁１１３上には、第一通槽１１６と相対する第二通槽１１７を開設する。
【００１２】
第一金属連接板１６は、段状を呈する。第一金属連接板１６と第二金属連接板１５とは、第一通槽１１６と第二通槽１１７内にそれ設置し、第一通槽１１６と第二通槽１１７とを密封する。第一金属連接板１６と第一通槽１１６とは、階段の周縁により、密封されて対応する。プラグコネクター(図示なし)を固定する固定部１４は、収容空間中に固定される。
【００１３】
固定部１４は、２個の定位部品１４１と位置固定部品１４２を備える。各定位部品１４１は、通孔１４１１を備え、通孔１４１１の辺縁は、外側へと屈折して、バッフル１４１２を延伸する。通孔１４１１の両側辺縁は、内側へと屈折して、係合ブロック１４１３を延伸し、係合ブロック１４１３は、凸ブロック１４１４を下方へと延伸する。位置固定部品１４２の両端は、上方へと屈折した２個の係合板１４２１を形成する。絶縁本体１１の相対する２個の側壁１１２中には、一端に開口を、他端には封鎖された２個の凹槽１１８をそれぞれ設置する。第二通槽１１７の両端には、２個の係合槽１１９をそれぞれ設置し、定位部品１４１の凸ブロック１４１４は、凹槽１１８中に挿入接続され、係合ブロック１４１３は、凹槽１１８の両側の側壁１１２上に係合して接続され、バッフル１４１２と金属ハウジング１２の側板１２２とは、密着する。位置固定部品１４２の２個の係合板１４２１は、２個の係合槽１１９をそれぞれ通過し、絶縁本体１１の底壁１１３の片側から、収容空間へと進出する。こうして、位置固定部品１４２と底壁１１３の一部と第二金属連接板１５とは、緊密に対応する。第二金属連接板１５も、段状に製造し、第二通槽１１７も、貫通して、周縁が階段状を呈するように開設することができる。第二金属連接板１５と第二通槽１１７とは、階段の周縁により、密封されて対応する。
【００１４】
好ましくは、位置固定部品１４２は、金属材質である。金属ハウジング１２の頂板１２１は、溶接点１２１１を通して、第一金属連接板１６と一体に溶接され、こうして緊密に結合する。位置固定部品１４２は、絶縁本体１１の底壁１１３に固定し、その上に第二金属連接板１５を載せて緊密に支える。金属ハウジング１２の底板１２３と位置固定部品１４２とは一体に溶接され、こうして緊密に結合する。
【００１５】
導電端子１３は、固定支持部１３２を備える。固定支持部１３２の一端は、垂直に屈折して、溶接部１３３を延伸する。固定支持部１３２の他端は、垂直に屈折して、接触部１３１を延伸する。接触部１３１は、端子槽１１４１中に収容し、固定支持部１３２と溶接部１３３とは、絶縁本体１１の、開口と相対する側壁１１２に突出し、しかも溶接部１３３の一端は、クリップブロック１７中に挟持される。
【００１６】
本考案防水コンセントコネクター１の組み立て時には、導電端子１３の接触部１３１を、絶縁本体１１の端子槽１１４１内に設置する。これにより、溶接部１３３は、絶縁本体１１の、開口と相対する側壁１１２外に進出し、クリップブロック１７中に固定され、こうして、印刷回路板(図示なし)との溶接を行う。第一金属連接板１６と第二金属連接板１５とは、第一通槽１１６と第二通槽１１７中にそれぞれ設置し、第一通槽１１６と第二通槽１１７とを、密封する。固定部１４の２個の定位部品１４１は、絶縁本体１１の２個の凹槽１１８中にそれぞれ挿入接続され、固定される。固定部１４の位置固定部品１４２の両端は、係合槽１１９をそれぞれ通過し、絶縁本体１１の底壁１１３上に固定され、第二金属連接板１５を載せて緊密に支える。こうして、プラグコネクター(図示なし)と対応して、連接することができる。次に、金属ハウジング１２を、絶縁本体１１上に嵌め、しかも金属ハウジング１２の頂板１２１は、溶接点１２１１と第一金属連接板１６との溶接により密封される。金属ハウジング１２の底板１２は、溶接点１２１１と、位置固定部品１４２との溶接により密封される。こうして、金属ハウジング１２を、絶縁本体１１上に緊密に嵌めて設置することができる。
【００１７】
上記したように、本考案防水コンセントコネクター１の絶縁本体１１上の孔は非常に小さく、絶縁本体１１の外部には、金属ハウジング１２を緊密に対応させて嵌めるため、ほこり、水分のコネクター内部への侵入を効果的に防止することができる。また、第一金属連接板１６と第一通槽１１６とは、凹凸状の対応を呈するため、間隙を縮小することができ、湿気の侵入を防止可能である。さらに、プラグコネクターと接触する部分は、第一金属連接板１６と第二金属連接板１５であるため、プラグコネクターと絶縁本体１１との間の摩擦を減少させることができ、最適な力で、抜き差しを行うことができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
１  防水コンセントコネクター
１１  絶縁本体
１１１  頂壁
１１２  側壁
１１３  底壁
１１４  挿入接続部
１１４１  端子槽
１１６  第一通槽
１１７  第二通槽
１１８  凹槽
１１９  係合槽
１２  金属ハウジング
１２１  頂板
１２１１  溶接点
１２２  側板
１２３  底板
１３  導電端子
１３１  接触部
１３２  固定支持部
１３３  溶接部
１４  固定部
１４１  定位部品
１４１１  通孔
１４１２  バッフル
１４１３  係合ブロック
１４１４  凸ブロック
１４２  位置固定部品
１４２１  係合板
１５  第二金属連接板
１６  第一金属連接板
１７  クリップブロック
【図１】
0003158590.tif 000003
【図２】
0003158590.tif 000004
【図３】
0003158590.tif 000005
【図４】
0003158590.tif 000006
【図５】
0003158590.tif 000007